(57)【要約】【課題】汚水の飛び出を防止できる上、掃除が容易にできる洋式便器を提供する。【解決手段】洋式便器は、便器本体２のリム部３上に便座４が後端側を支軸側として開閉自在に取り付けられてなる。リム部３の前側上面３ａに、その外周縁に沿って汚水流出防止用の凸リブ２０を形成するとともに、この凸リブ２０を、便座４を閉じたとき便座４の前側周縁よりも外側に位置するように設ける。【選択図】図４
2015098678.tif 000002
【特許請求の範囲】
【請求項１】
便器本体のリム部上に便座が後端側を支軸側として開閉自在に取り付けられた洋式便器において、
前記リム部の前側上面にはその外周縁に沿って汚水流出防止用の凸リブが形成されており、この凸リブは、前記便座を閉じたとき便座の前側周縁よりも外側に位置するように設けられていることを特徴とする洋式便器。
【請求項２】
前記凸リブは、リム部の前側上面の平坦部に対し湾曲面を介して滑らかに連続するように形成されている請求項１記載の洋式便器。
【請求項３】
前記リム部の前側上面の平坦部は、便器本体の内側に向かって傾斜する傾斜面に形成されている請求項１または２記載の洋式便器。
【請求項４】
前記便座の前側下面には、便座の閉状態でリム部の内周縁の内側に向かって突出する凸部が形成されている請求項１ないし請求項３のいずれか一つに記載の洋式便器。
【請求項５】
前記凸リブは、リム部の前側上面からリム部の外周縁に沿ってリム部の後部近傍にまで延長して形成されており、この凸リブの延長部先端とリム部の後部との間には、凸リブ及びリム部の後部よりも低い低段部が形成されている請求項１ないし請求項４のいずれか一つに記載の洋式便器。
【発明の詳細な説明】
【技術分野】
【０００１】
本発明は、便器本体のリム部上に便座が開閉自在に取り付けられた洋式便器に関する。
【背景技術】
【０００２】
一般に、洋式便器として、便器本体のリム部上に、便座が後端側を支軸側として開閉自在に取り付けられているとともに、この便座を覆う便座カバーが便座と同一の支軸又は別の支軸回りに開閉自在に取り付けられたものは知られている。
【０００３】
そして、従来、このような洋式便器においては、座り用便時の小便や汚れの原因となる洗浄水の便器本体リム部の前側上面と便座の前側下面の間の隙間からの飛び出しを防止するための種々の防止策が提案されている。例えば特許文献１には、便器本体リム部の前側上面にその外周縁に沿って汚水流出防止用の凸リブを形成すると共に、便座の下面に便座の閉状態で前記凸リブが嵌合する凹所を形成し、凹所内に前記凸リブが当接する軟質パッキン材を設けることが記載されている。
【先行技術文献】
【特許文献】
【０００４】
【特許文献１】特開２００７−１９１９０９号公報
【発明の概要】
【発明が解決しようとする課題】
【０００５】
しかし、前記特許文献１のものでは、汚水（小便や洗浄水）の飛び出しを防止することができる反面、汚水が便座下面の凹所に溜まり、凹所が汚れるため、そこを掃除する必要が生じる。その上、凹所の掃除が困難なものであるという問題がある。
【０００６】
本発明はかかる点に鑑み、その課題は、便器本体リム部の前側上面に汚水流出防止用のリム部を形成するに当たり、このリム部と便座の関係を適切に設定することにより、汚水の飛び出しを防止できる上、掃除が容易にできる洋式便器を提供せんとするものである。
【課題を解決するための手段】
【０００７】
前記の課題を解決するため、本発明は、便器本体のリム部上に便座が後端側を支軸側として開閉自在に取り付けられた洋式便器において、前記リム部の前側上面に、その外周縁に沿って汚水流出防止用の凸リブを形成するとともに、この凸リブを、前記便座を閉じたとき便座の前側周縁よりも外側に位置するように設ける構成にする。
【０００８】
ここで、前記凸リブは、リム部の前側上面の平坦部に対し湾曲面を介して滑らかに連続するように形成されていることが好ましい。
【０００９】
また、前記リム部の前側上面の平坦部は、便器本体の内側に向かって傾斜する傾斜面に形成されていることが好ましい。
【００１０】
さらに、前記便座の前側下面に、便座の閉状態でリム部の内周縁の内側に向かって突出する凸部を形成することが好ましい。
【００１１】
加えて、前記凸リブは、リム部の前側上面からリム部の外周縁に沿ってリム部の後部近傍にまで延長して形成されており、この凸リブの延長部先端とリム部の後部との間に、凸リブ及びリム部の後部よりも低い低段部を形成することが好ましい。
【発明の効果】
【００１２】
本発明の洋式便器によれば、リム部の前側上面と便座の前側下面の間の隙間からの汚水の飛び出しを防止することができる上、面倒な掃除を必要とせず、実用性に優れた効果を奏するものである。
【図面の簡単な説明】
【００１３】
【図１】図１は本発明の一実施形態に係る洋式便器の右側前方から見た斜視図である。
【図２】図２は前記洋式便器から便座などを取り外した状態を洋式便器の左側前方から見た斜視図である。
【図３】図３は前記洋式便器の便座を下側から見た斜視図である。
【図４】図４は図１のＸ−Ｘ線における拡大断面図である。
【発明を実施するための形態】
【００１４】
以下、本発明を実施するための形態である実施形態を図面に基づいて説明する。
【００１５】
図１及び図２は本発明の一実施形態に係る洋式便器１の全体構成を示す。洋式便器１は、便器本体２と、便器本体２のリム部３上に開閉自在に取り付けられた便座４と、便座４を覆うように開閉自在に取り付けられた便座カバー（図示せず）とを備えている。
【００１６】
便器本体２は、金属製の骨組み５により支持された合成樹脂製のものであり、便器本体２の前部には、排便用開口部６が形成されているとともに、排便開口部６の開口縁全周に亘ってリム部３が一体に形成されている。便器本体２の後部側には、人体局部洗浄装置などの機器７が設けられているとともに、機器７を覆う後部カバー８が取り付けられている。後部カバー８の左右側面には便座４及び便座カバーがそれぞれ別々の支軸９，１０回りに開閉自在に取り付けられている。
【００１７】
便座４及び便座カバーは、共に合成樹脂からなる。便座４は、暖房装置（図示せず）を内蔵しており、便座４の下面４ａには、図３に示すように、左右２つずつ計４つの脚部１１，１１，…が一体に形成されている。これらの脚部のうち、前側の２つの脚部１１，１１にはそれぞれゴム等の弾性材からなる当て材１２が設けられている。
【００１８】
そして、本発明の特徴点として、リム部３の前側上面３ａには、図２及び図４に示すように、その外周縁に沿って汚水流出防止用の凸リブ２０が一体に形成されている。凸リブ２０は、便座４を閉じたとき便座４の前側周縁よりも外側に位置するように設けられている。また、凸リブ２０は、リム部３の前側上面３ａの平坦部２１に対し湾曲面２２を介して滑らかに連続するように形成されており、リム部３の前側上面３ａの平坦部２１は、便器本体２の内側に向かって下方に傾斜する傾斜面に形成されている。
【００１９】
さらに、凸リブ２０は、リム部３の前側上面３ａからリム部３の外周縁に沿ってリム部３の後部３ｂ近傍にまで延長してなる左右２つの延長部２０ａ，２０ａを有している。凸リブ２０の各延長部２０ａの先端とリム部３の後部３ｂとの間には、凸リブ２０及びリム部３の後部３ｂよりも低い低段部２３が形成されている。
【００２０】
一方、便座４の前側下面４ｂには、リム部３の内周縁の内側に向かって下方に突出する凸部２５が一体に形成されている。便座４を閉じたとき、凸部２５の下端は、リム部３の前側上面３ａの凸リブ２０及び平坦部２１の内縁よりも下方に位置するように設けられている。
【００２１】
従って、前記洋式便器１においては、便器本体２のリム部３の前側上面３ａに、その外周縁に沿って汚水流出防止用の凸リブ２０が形成されており、この凸リブ２０は、便座４を閉じたとき便座４の前側周縁よりも外側に位置するように設けられている。このため、リム部３の前側上面３ａと便座４の前側下面４ｂの間の隙間からの汚水の飛び出しを防止することができる上、掃除が容易となり、実用性に優れた効果を奏する。
【００２２】
特に、本実施形態の場合、凸リブ２０は、リム部３の前側上面３ａの平坦部２１に対し湾曲面２２を介して滑らかに連続するように形成されているため、凸リブ２０と平坦部２１との間に汚れが溜まり難くなり、更に掃除がし易くなるという効果を併有する。なお、前記凸リブ２０を設ける範囲または前記平坦部２１の傾斜面を設ける範囲は、前側上面３ａのみに限定してもよいし、前側上面３ａからリム部３の後部３ｂに至る外周縁の間で任意に設定してもよい。
【００２３】
また、リム部３の前側上面３ａの平坦部２１は、便器本体２の内側に向かって傾斜する傾斜面に形成されているため、この平坦部２１上に汚水が溜まったときでもその汚水は平坦部２１の傾斜に沿って便器本体２の内側に落ちるようになる。このため、平坦部２１上に汚水が多く溜まることはないので、平坦部２１上の汚れが緩和されることになり、その分清掃が楽なものになる。
【００２４】
さらに、便座４の前側下面４ｂに、便座４の閉状態でリム部３の内周縁の内側に向かって突出する凸部２５が形成されているため、リム部３の前側上面３ａと便座４の前側下面４ｂの間の隙間からの汚水の飛び出しをより確実に防止することができる。殊に、凸部２５の下端は、便座４の閉状態で平坦部２１の内縁よりも下方に位置するように設けられているため、汚水の飛び出し防止効果を一層図ることができる。
【００２５】
加えて、凸リブ２０は、リム部３の前側上面３ａからリム部３の外周縁に沿ってリム部３の後部３ｂ近傍にまで延長して形成されている。このため、リム部３の前側上面３ａと便座４の前側下面４ｂの間の隙間からの汚水の飛び出しを防止できるだけでなく、リム部３の前側上面３ａ以外の上面と便座４の下面４ａとの間の隙間からの汚水の飛び出しをも防止できる。その上、凸リブ２０の各延長部２０ａ先端とリム部３の後部３ｂとの間に凸リブ２０及びリム部３の後部３ｂよりも低い低段部２３が形成されている。このため、リム部３の上面上に水が凸リブ２０によりせき止められて溜まったときには、低段部２３から水を便器１の外に逃がすことで水が便器本体２の後部に設けられる電気部品に至って悪影響を及ぼすのを防止することができる。このとき、便器１の外に逃げる汚水等の水は低段部２３から流れる部分に集中するため、凸リブ２０を設けない場合に比べて掃除がしやすい。
【００２６】
尚、本発明は前記実施形態に限定されるものではなく、その他種々の形態を包含するものである。例えば前記実施形態では、便器本体２後部側の後部カバー８の左右側面に便座４及び便座カバーがそれぞれ別々の支軸９，１０回りに開閉自在に取り付けられた場合について述べたが、本発明は、この場合に限らないのは勿論である。例えば便器本体２後部カバー８の左右側面に便座４及び便座カバーが同一の支軸回りに開閉自在に取り付けられた場合などにも同様に適用することができ、同様な効果を奏することができる。
【００２７】
また、前記実施形態では、便器本体２が合成樹脂製のものである場合について述べたが、本発明は、この場合に限らず，便器本体２が陶器などその他の材質からなる場合にも適用することができる。
【符号の説明】
【００２８】
１    洋式便器
２    便器本体
３    リム部
３ａ  前側上面
３ｂ  リム部の後部
４    便座
４ｂ  前側下面
９    支軸
２０    凸リブ
２０ａ  延長部
２１    平坦部
２２    湾曲面
２３    低段部
２５    凸部
【図１】
2015098678.tif 000003
【図２】
2015098678.tif 000004
【図３】
2015098678.tif 000005
【図４】
2015098678.tif 000006